(57)【特許請求の範囲】
【請求項１】
ロール状シートの芯となる中空円筒状の紙管において、
前記紙管の内周面に面した内側原紙層と、前記紙管の外周面に面した外側原紙層を有し、
前記内側原紙層及び前記外側原紙層の間に、芳香物質及び／又は消臭物質を含浸する不織布を有する中層を備え、
前記中層の一部が紙管の内周面及び／又は外周面に露出しており、
前記中層は、前記内側原紙層及び／又は前記外側原紙層と接着されることなく、前記内側原紙層及び前記外側原紙層の間に挟持されることによって固定されていることを特徴とする紙管。
【請求項２】
請求項１に記載の紙管において、
前記内側原紙層及び／又は前記外側原紙層は、帯状の紙管原紙が所定の間隔の螺旋状の隙間を有する螺旋状に巻回されて形成され、
前記螺旋状の隙間を介して、前記中層の一部が前記紙管の内周面及び／又は外周面に露出していることを特徴とする紙管。
【請求項３】
請求項１又は２に記載の紙管において、
前記内側原紙層及び／又は前記外側原紙層に貫通した穿孔部を備え、
前記穿孔部を介して、前記中層の一部が紙管の内周面及び／又は外周面に露出していることを特徴とする紙管。
【請求項４】
ロール状シートの芯となる中空円筒状の紙管において、
前記紙管の内周面に面した内側原紙層と、前記紙管の外周面に面した外側原紙層を有し、
前記内側原紙層及び前記外側原紙層の間に、芳香物質及び／又は消臭物質を含浸する不織布を有する中層を備え、
前記外側原紙層は、帯状の紙管原紙が所定の間隔の螺旋状の隙間を有する螺旋状に巻回されて形成され、
前記螺旋状の隙間を介して、前記中層の一部が紙管の外周面に突出していることを特徴とする紙管。
【請求項５】
請求項１〜４の何れか一項に記載の紙管と、
前記紙管を芯として捲回されたシートと、を備えることを特徴とするロール状シート。
【発明の詳細な説明】
【技術分野】
【０００１】
本発明は、紙管及び当該紙管を使用したロール状シートに関する。
【背景技術】
【０００２】
近年、トイレットペーパーが巻かれる紙管またはトイレットペーパー自体に香料を付与したものが知られている。しかし、香料のほとんどは揮発性成分であることから、香り立ちを生産から実使用時まで維持させることは困難であるという問題があった。
【０００３】
そこで、例えば、特許文献１に記載の発明によれば、トイレットペーパーが巻かれる紙管を、複数の原紙を重ねて形成し、例えば複数の原紙を貼り合わせる接着剤に香料を混合して付与することによって、香料の揮発速度が抑えられるため芳香効果が長時間維持される。
【先行技術文献】
【特許文献】
【０００４】
【特許文献１】特許第４１５９０６１号公報
【発明の概要】
【発明が解決しようとする課題】
【０００５】
しかし、上記特許文献１に記載の発明では、紙管原紙は一般的に剛性を維持するために緊度が高い素材を用いる必要があるため、紙管自体に保持できる香料の量が少なく、芳香効果が低いという問題点があった。また、香料が原紙を貼り合わせる接着剤に混合されている場合には、接着剤を厚く塗布することによって紙管に保持される香料の量を増やすことは可能であるが、香料が接着剤に封入されて揮発し難いため、この場合も、十分な芳香効果が得られないという問題点があった。
【０００６】
本発明の主たる課題は、香料の含浸性に優れ、かつ、効率良く芳香効果を得られる紙管及び当該紙管を使用したロール状シートを提供することである。
【課題を解決するための手段】
【０００７】
上記課題を解決するために、請求項１に記載の発明は、ロール状シートの芯となる中空円筒状の紙管において、
前記紙管の内周面に面した内側原紙層と、前記紙管の外周面に面した外側原紙層を有し、
前記内側原紙層及び前記外側原紙層の間に、芳香物質及び／又は消臭物質を含浸する不織布を有する中層を備え、
前記中層の一部が紙管の内周面及び／又は外周面に露出しており、
前記中層は、前記内側原紙層及び／又は前記外側原紙層と接着されることなく、前記内側原紙層及び前記外側原紙層の間に挟持されることによって固定されていることを特徴とする。
【０００８】
請求項２に記載の発明は、請求項１に記載の紙管において、
前記内側原紙層及び／又は前記外側原紙層は、帯状の紙管原紙が所定の間隔の螺旋状の隙間を有する螺旋状に巻回されて形成され、
前記螺旋状の隙間を介して、前記中層の一部が前記紙管の内周面及び／又は外周面に露出していることを特徴とする。
【０００９】
請求項３に記載の発明は、請求項１又は２に記載の紙管において、
前記内側原紙層及び／又は前記外側原紙層に貫通した穿孔部を備え、
前記穿孔部を介して、前記中層の一部が紙管の内周面及び／又は外周面に露出していることを特徴とする。
【００１０】
請求項４に記載の発明は、ロール状シートの芯となる中空円筒状の紙管において、
前記紙管の内周面に面した内側原紙層と、前記紙管の外周面に面した外側原紙層を有し、
前記内側原紙層及び前記外側原紙層の間に、芳香物質及び／又は消臭物質を含浸する不織布を有する中層を備え、
前記外側原紙層は、帯状の紙管原紙が所定の間隔の螺旋状の隙間を有する螺旋状に巻回されて形成され、
前記螺旋状の隙間を介して、前記中層の一部が紙管の外周面に突出していることを特徴とする。
【００１１】
請求項５に記載の発明は、ロール状シートにおいて、請求項１〜４の何れか一項に記載の紙管と、
前記紙管を芯として捲回されたシートと、を備えることを特徴とする。
【発明の効果】
【００１２】
本発明によれば、紙管への香料の含浸性が高く、かつ、含浸された香料が効率良く確実に揮発するため、芳香効果の高い紙管を得ることができる。
【図面の簡単な説明】
【００１３】
【図１】本発明のロール状トイレットペーパーの斜視図である。
【図２】本発明の第１実施形態の紙管の斜視図（ａ）および、（ａ）のｂ−ｂ線における断面図（ｂ）である。
【図３】本発明の第２実施形態の紙管の斜視図（ａ）および、（ａ）のｂ−ｂ線における断面図（ｂ）である。
【図４】本発明の第３実施形態の紙管の斜視図（ａ）および、（ａ）のｂ−ｂ線における断面図（ｂ）である。
【発明を実施するための形態】
【００１４】
以下、図を参照して、本発明を実施するための形態を詳細に説明する。ただし、発明の範囲は図示例に限定されない。以下の説明においては、本発明の実施の形態における紙管を使用したロール状シートとして、ロール状トイレットペーパーを例示して説明することとする。
【００１５】
＜トイレットペーパー＞
ロール状トイレットペーパー１０は、例えば、図１に示されるように、略中空円筒形状をなす紙管３０と、一定幅に形成されて紙管３０を芯として捲回されたトイレットペーパー２０と、を備えて構成される。ロール状トイレットペーパー１０は、ペーパーホルダーに取り付けて、トイレットペーパー２０を引き出して使用するのが一般的である。
ロール状トイレットペーパー１０の大きさは特に限定されないが、直径９０〜１２０ｍｍ、幅１００〜１２０ｍｍ、紙管径３５〜５０ｍｍのものが一般的であり、本発明においても好適である。
【００１６】
トイレットペーパー２０を構成する原紙は、原料パルプを主原料とする薄葉紙用抄紙原料により製造できる。その原料パルプは、特に限定されるものではなく、トイレットペーパー２０の具体的な用途に応じて適宜原料パルプを選択し、また配合して使用することができる。
トイレットペーパー２０のプライ数及び坪量は、その用途によって適宜調整することができるが、プライ数が１プライから３プライ、全体での紙厚９０〜２７０μｍ、１プライの坪量は１０〜３０ｇ／ｍ２の範囲内にあるものを使用するのが望ましい。坪量が１０ｇ／ｍ２未満では、柔らかさの向上の観点からは好ましいものの、使用に耐えうる十分な強度を適正に確保することが困難となる。逆に、坪量が３０ｇ／ｍ２を超えると紙全体が硬くなるとともに、ゴワ付き感が生じてしまい肌触りが悪くなる。なお、坪量の測定方法としては、例えば、ＪＩＳ  Ｐ８１２４：２０１１に準じた方法等が挙げられる。
【００１７】
＜紙管＞
［第１実施形態］
紙管３０は、例えば図２（ａ）に示されるように、紙管３０の内周面に面した内側原紙層３１と、紙管３０の外周面に面した外側原紙層３２と、内側原紙層３１及び外側原紙層３２の間に挟まれて香料を含浸する中層３３と、の３つの層から形成される。中層３３の一部は、内側原紙層３１及び／又は外側原紙層３２から露出している。
【００１８】
内側原紙層３１及び外側原紙層３２は、例えば、紙管原紙が螺旋状に巻かれたスパイラル紙管、平巻き紙管として形成される。内側原紙層３１及び外側原紙層３２を構成する紙管原紙は、強度維持の観点から、米坪１３０〜２００ｇ／ｍ２、剛度３００〜６００の原紙を用いることが好ましい。なお、剛度の測定方法は、例えばＪＩＳ  Ｐ８１４３：２００９に準じた方法等が挙げられる。
【００１９】
中層３３を構成する素材は任意であるが、例えば、ポリエステル、ナイロン、ポリウレタン、レーヨン樹脂等の吸油度の高い不織布が好ましい。
中層３３の厚みは、内側原紙層３１及び外側原紙層３２の間に挟み込んで紙管３０を形成することができ、十分な強度の紙管３０が得られるものであれば任意である。
【００２０】
中層３３に含浸される香料は、芳香を有する揮発性の物質であれば任意であり、１種類の物質を用いても、２種類以上の物質を混合して用いても良い。不織布への香料の含浸量は、香料の揮発性や残香性、コスト、不織布の吸油度等に応じて、適宜任意に変更可能である。
また、中層３３には、１種類又は複数種類の消臭物質が含浸されても良い。含浸される消臭物質は、臭い成分を分解、中和、吸着等して除去できる揮発性の物質であれば任意である。
【００２１】
中層３３の、内側原紙層３１及び／又は外側原紙層３２から露出している部分は、任意の形状に形成することができる。
紙管３０は、例えば、螺旋状に巻回された内側原紙層３１の外周面上に、中層３３が螺旋状に巻回され、さらに、当該中層３３の外周面上に、外側原紙層３２が、図２（ａ）に示されるように所定の間隔の螺旋状の隙間５０をあけた螺旋状に巻回されて形成される。これにより、外側原紙層３２の螺旋状の隙間５０を介して、中層３３の一部が紙管３０の外周面側に露出することとなる。
【００２２】
なお、中層３３を螺旋状の隙間５０から確実に露出させるため、例えば図２（ｂ）に示されるように、外側原紙層３２と中層３３は、紙管３０の回転軸方向にずらして巻回されることが好ましい。
【００２３】
内側原紙層３１及び外側原紙層３２及び中層３３は、必要に応じて、接着剤等を用いて互いに接着されても良い。
例えば、図２（ａ）に示される第１実施形態のように、螺旋状の隙間５０を介して中層３３の一部が紙管３０の外周面側に露出している場合には、少なくとも、螺旋状の隙間５０をあけて巻回される外側原紙層３２は、中層３３又は内側原紙層３１に接着されて固定されることが好ましい。例えば、図２（ｂ）に示されるように、外側原紙層３２は接着剤４０により中層３３と接着され、接着剤４０の内周面側の接着剤４１により中層３３が内側原紙層３１に接着されることにより、固定される。
【００２４】
中層３３が接着剤等を用いて内側原紙層３１及び／又は外側原紙層３２と接着されると、中層３３に含浸されている香料の一部が接着剤に封入されることとなって揮発し難くなり、芳香効果が低下することから、中層３３は、接着剤等を用いることなく、内側原紙層３１及び外側原紙層３２の間に挟持されることによって固定されていることが好ましい。
【００２５】
内側原紙層３１及び外側原紙層３２及び中層３３を、接着剤を用いて固定する場合には、接着の方法は任意であり、既知の紙管糊（例えば、ＣＭＣ、酢酸ビニル）の他、ホットメルト、ラテックス等を用いて接着することができる。中層３３に含浸される香料の多くは油性であることから、中層３３を内側原紙層３１及び／又は外側原紙層３２と接着する場合には、疎水性の接着剤を用いることが好ましい。
【００２６】
香料は、内側原紙層３１及び中層３３及び外側原紙層３２を巻回して紙管３０を形成した後に含浸させても良いし、また、予め香料を含浸させた不織布を中層３３に用いて紙管３０を形成しても良い。製造工程における香料の揮散を減らすという観点によれば、紙管３０の形成後に香料を含浸させることが好ましい。
【００２７】
中層３３へ香料を含浸させる方法は任意であるが、例えば、紙管３０の形成後に紙管３０の外面又は内面から滴下又はスプレー塗布することにより、中層３３の露出している部分から香料を中層３３に含浸させることができる。
【００２８】
なお、中層３３は、紙管３０の外周面側、内周面側のいずれか片側のみから露出していても、両側から露出していても良い。具体的には、例えば図２においては、外側原紙層３２が螺旋状の隙間５０をあけて巻回されて、中層３３が紙管３０の外周面側に露出していることとしたが、例えば、内側原紙層３１が螺旋状の隙間５０を空けて巻回されて、中層３３が紙管３０の内周面側に露出していることとしても良い。また、例えば、内側原紙層３１と外側原紙層３２の両方が螺旋状の隙間５０をあけて巻回されて、中層３３が紙管３０の内周面側と外周面側の両側に露出していることとしても良い。
【００２９】
紙管３０の形成後に香料を含浸させる場合の含浸させやすさ、及び、ロール状トイレットペーパー１０の使用前の香料の揮散を抑える観点によれば、中層３３は、紙管３０の外周面側に露出していることが好ましい。
【００３０】
［第２実施形態］
図３に、本発明の第２実施形態を示す。以下、第２実施形態の紙管３０が、上述した第１実施形態のものと異なる構成を中心に説明し、共通する構成については同じ符号を付して説明を省略する。
【００３１】
第２実施形態の紙管３０は、例えば図３（ａ）及び（ｂ）に示されるように、第１実施形態と同様に形成された螺旋状の隙間５０から、中層３３の端部３３Ａが紙管３０の外周面に突出した形状に形成される。これにより、螺旋状の隙間５０から中層３３の端部３３Ａが確実に露出することとなる。
第２実施形態の紙管３０は、例えば、予め外側原紙層３２と中層３３とをずらして重ねた帯状シートを螺旋状に巻回することによって、形成される。
【００３２】
第２実施形態においても、第１実施形態と同様に、螺旋状の隙間５０を介して中層３３の一部が紙管３０の外周面に露出している場合には、少なくとも、螺旋状の隙間５０をあけて巻回される外側原紙層３２は、中層３３又は内側原紙層３１に接着されて固定されることが好ましい。例えば図３（ｂ）に示されるように、内側原紙層３１と外側原紙層３２とが接着剤４２で接着されることとしても良いし、また、例えば図２（ｂ）に示されるように、外側原紙層３２は接着剤４０により中層３３と接着され、中層３３は接着剤４１により内側原紙層３１に接着されて固定されても良い。
【００３３】
［第３実施形態］
図４に、本発明の第３実施形態を示す。以下、第３実施形態の紙管３０が、上述した第１〜第２実施形態のものと異なる構成を中心に説明し、共通する構成については同じ符号を付して説明を省略する。
【００３４】
第３実施形態の紙管３０は、例えば図４（ａ）及び（ｂ）に示されるように、外側原紙層３２が、外側原紙層３２を貫通する穿孔部５１を備え、中層３３は、外側原紙層３２の穿孔部５１を介して、紙管３０の外周面側に露出している。
【００３５】
穿孔部５１の面積及び密度及び形状は、紙管３０の強度を維持できるものであれば任意である。なお、穿孔部５１は、外側原紙層３２だけでなく内側原紙層３１にも設けられても良いし、内側原紙層３１のみに設けられても良い。
【００３６】
以上説明した第１〜３実施形態の紙管３０によれば、香料が不織布からなる中層３３に含浸されるので、紙管３０は多量の香料を保持し、且つ、無駄なく揮発させることができる。その結果、芳香効果の高い紙管３０を得ることができる。
【００３７】
また、中層３３の一部が紙管３０の表面に露出しているので、中層３３に保持されている香料を効率良く揮発させることができる。また、紙管３０形成後に中層３３に香料を容易に含浸させることができるため、製造時の香料の無駄な揮散が少ないという利点がある。
【００３８】
さらに、第２実施形態及び第３実施形態の紙管３０によれば、例えば、内側原紙層３１を巻回した外周面上に、予め外側原紙層３２と中層３３を重ねた帯状シートを巻回して形成することが可能であり、製造工程を減らして容易に製造することができるという利点がある。
勿論、予め内側原紙層３１と中層３３を重ねた帯状シートを巻回して、その外周面上に、外側原紙層３２を巻回して、紙管３０を形成しても良い。
【００３９】
また、第３実施形態に示されるような紙管３０によれば、内側原紙層３１及び外側原紙層３２は螺旋状の隙間５０をあけずに巻回されるので、内側原紙層３１及び外側原紙層３２及び中層３３の各層の間を、接着剤で接着することなく、中層３３を挟持することが可能である。
【実施例】
【００４０】
次に、実施例及び比較例を挙げて、本発明をより具体的に説明する。
＜実施例１＞
米坪１５０ｇ／ｍ2、緊度０．８ｇ／ｍ３、剛度４００、紙幅８０ｍｍの紙管原紙を使用した内側原紙層３１及び外側原紙層３２、及び、吸油度８０ｍｌ（ＪＩＳ  Ｋ５１０１−１３−１：２００４に準じて測定）、幅４０ｍｍ、厚み５００μｍ（ＪＩＳ  Ｌ１９１３  Ａ法：２０１０に準じて測定）であるポリエステル樹脂製の不織布を使用した中層３３の３層からなる、径４１ｍｍ、幅１１４ｍｍの中空円筒形状の紙管３０を作成した。
外側原紙層３２は、図２に示されるように、螺旋状の隙間５０を空けて巻回され、当該螺旋状の隙間５０から中層３３が露出している。なお、隙間５０の幅が１０ｍｍのものを実施例１−１、幅２０ｍｍのものを実施例１−２とした。
【００４１】
香料の付与は、紙管３０の回転軸方向に７ｍ／分の速度で紙管３０を移動させながら、紙管３０の回転軸のほぼ真上から、吐出量１０ｍｌ／分の割合で比重０．９１のハッカ油を紙管３０の外面に滴下して行った。
紙管３０に保持される香料の量の評価として、まず、香料の滴下時に紙管３０に吸収されずに垂れ落ちる香料の有無を観察した。さらに、香料の滴下前及び滴下直後の紙管３０の重量を計測し、最終的に紙管３０に吸収された香料の量（最終保持量）を算出した。
【００４２】
＜実施例２＞
図４に示されるように、外側原紙層３２を形成する紙管原紙に穿孔部５１が設けられ、外側原紙層３２が隙間をあけずに螺旋状に巻回されている他は、実施例１と同じ構成の紙管３０を作成した。
穿孔部５１は、外側原紙層３２の面積１ｃｍ２当たり１つの割合で形成され、外側原紙層３２を貫通する直径約１ｍｍの略円形状の孔である。
【００４３】
＜比較例１＞
実施例１と同様の紙管原紙を用いた内側原紙層３１及び外側原紙層３２の２層からなる紙管３０を作成した。比較例１において、外側原紙層３２は螺旋状の隙間５０や穿孔部５１を備えていない。
香料の付与は、実施例１と同様に行い、外側原紙層３２に香料を含浸させた。
【００４４】
＜比較例２＞
比較例１と同じ構成の紙管３０を作成し、香料を、最終塗布量が実施例１及び２とほぼ同量となるように付与した。
具体的には、まず、実施例１と同様の滴下方法により、紙管３０の回転軸のほぼ真上からハッカ油を７０μｇ滴下し、液垂れの無いように十分紙管に浸透させた後、紙管３０を周方向に１８０度回転させて、紙管３０の回転軸のほぼ真上からハッカ油をさらに７０μｇ滴下した。
【００４５】
香りの持続性を検討するため、実施例１−１、実施例２、及び比較例１、比較例２の紙管３０を、香料を付与してから２５℃湿度５０％環境で７日間放置した後、香りの強度を評価した。評価は、比較例２の紙管３０の香りの強度と比較した場合の、実施例１−１及び実施例２のの紙管３０の相対的な香りの強度を、とても強い、やや強い、ほぼ同じ、やや弱い、とても弱い、の５段階で評価し、とても強いを５点、とても弱いを１点として点数化した。
５人の被験者による香りの強度の評価の平均値を表１に示す。なお、実施例１−１及び実施例２の評価の内訳は以下の通りである。実施例１−１：５点、４点、３点、４点、５点。実施例１−２：４点、４点、４点、３点、４点。実施例２：５点、５点、４点、５点、４点。比較例１：２点、２点、２点、２点、１点。
【００４６】
【表１】
0006437258.tif 000002
【００４７】
不織布からなる中層３３を備える実施例１、２においては、滴下した香料は全て紙管３０に吸収され、最終塗布量は実施例１−１では１４８μｇ、実施例１−２では１４７μｇ、実施例２にあっては１４９μｇであった。一方、中層３３を備えない比較例１の紙管３０においては、滴下した香料の一部が吸収されずに落下し、最終塗布量は１１５μｇであった。比較例１のように中層３３を備えない紙管３０において、香料の最終塗布量を実施例とほぼ同量にするためには、比較例２に記載したように、香料を２度に分けて付与する必要があった。つまり、実施例１、２のように不織布からなる中層３３を設けることによって、香料をより効率良く紙管３０に保持させることができた。
【００４８】
次に、香料の滴下直後の最終保持量がほぼ同じである実施例１、２、及び比較例１、２の紙管３０について、香りの持続性を検討すると、紙管３０の形成の７日後の香りの強度は、実施例１、２はいずれも比較例１、２より強く、特に実施例２の香りの強度が高かった。また、実施例１−１と実施例１−２を比較すると、実施例１−１の方がわずかながら香りの持続性が高くなっていた。
実施例１−２は、実施例１−１に比べて中層３３の露出面積が大きいため、香料の揮散が早かったと考えられる。また、実施例２は、実施例１と比較して中層３３の露出面積が小さいため、香料の揮発速度が遅く、芳香効果が長時間維持されたと考えられる。つまり、中層３３の露出面積を変えることによって、香りの持続時間を調節することが可能であった。
【符号の説明】
【００４９】
１０              ロール状トイレットペーパー（ロール状シート）
２０              トイレットペーパー（シート）
３０              紙管
３１              内側原紙層
３２              外側原紙層
３３              中層
４０、４１、４２  接着剤
５０              螺旋状の隙間
５１              穿孔部
【図１】
0006437258.tif 000003
【図２】
0006437258.tif 000004
【図３】
0006437258.tif 000005
【図４】
0006437258.tif 000006